(57)【要約】      （修正有）【課題】口元及び鼻部の周囲に沿う湾曲した形状の立体フレームと、微小粒子等の侵入を防止するフィルターとが内蔵されたマスクを提供する。【解決手段】耳掛け部１２が両側に設けられ、外側の外側布１３と内側の内側布とを有する布生地製のマスク１１であって、外側布と内側布との間には、微小粒子や花粉の侵入を防止するためのフィルター１５が内蔵されており、内側布の内側には、口元及び鼻部の周囲に沿う湾曲した形状の立体フレーム１６が取り付けられている。【選択図】図１
0003230839.tif 000002
【実用新案登録請求の範囲】
【請求項１】
耳掛け部が両側に設けられ外側の外側布と内側の内側布とを有する布生地製のマスクであって、
前記外側布と前記内側布との間には、微小粒子や花粉の侵入を防止するためのフィルターが内蔵されており、
前記内側布の内側には、口元及び鼻部の周囲に沿う湾曲した形状の立体フレームが取り付けられていること
を特徴とするマスク。
【請求項２】
前記立体フレームは、格子状で枠部からなり、
該枠部と前記内側布とが縫い付けられた構造であること
を特徴とする請求項１に記載のマスク。
【請求項３】
前記内側布の上部には、鼻部及び顔部にフィットしてメガネの曇りを防止するためのノーズカバーが折畳み及び折返し自在に設けられており、
前記ノーズカバーの内部には、微小粒子や花粉の侵入を防止するためのフィルターが内蔵されていること
を特徴とする請求項１に記載のマスク。
【請求項４】
前記フィルターは、微小粒子捕集効率が９５％以上であり、花粉粒子捕集効率が９９％以上であること
を特徴とする請求項１又は３に記載のマスク。
【考案の詳細な説明】
【技術分野】
【０００１】
本考案は、口元及び鼻部の周囲に沿う湾曲した形状の立体フレームと、微小粒子等の侵入を防止するフィルターとが内蔵されたマスクに関するものである。
【背景技術】
【０００２】
従来、マスクと別体のマスク用立体インナーが知られている。このマスク用立体インナーは、口元及び鼻部の周囲に宛てがう枠形に形成されており、手で持って口元に宛てがってから別体のマスクを装着して使用する（特許文献１参照）。
【０００３】
このような構成のマスク用立体インナーを装着した場合は、口元に空間ができるので、マスクが口に張り付かず、呼吸がしやすく、息苦しさが軽減されるという効果が期待できる。
【０００４】
一方、次のような構成のマスクが知られている。このマスクは、伸縮性を有する耳掛け部が両側に設けられプリーツが形成された第１不織布と、第１不織布の内側に四隅が熱溶着された第２不織布とからなり、第２不織布は必要に応じて取り除くことができる仕組みである（特許文献２参照）。
【０００５】
このような構成のマスクは、１回使用した後に、湿り気や臭気などを含んだ第２不織布を取り除いて、マスクをふたたび使用することが可能であり、１枚のマスクで２回使用できる。
【先行技術文献】
【特許文献】
【０００６】
【特許文献１】意匠登録第１６７０６１３号公報
【特許文献２】実用新案登録第３２１５３９７号公報
【考案の概要】
【考案が解決しようとする課題】
【０００７】
この従来例のマスク用立体インナーにおいては、マスクと別体なので、装着時は手で持って口元に宛てがいながらマスクを装着することとなり、手間が掛かって扱いにくい。また、マスク用立体インナーが直に肌へ触れるので、不快感が生じるという様々な問題点を有している。
【０００８】
また、従来例のマスクにおいては、第２不織布を取り除いて、２回目の使用ができるとしても、その後にマスクを何回も使用するのは不衛生である。また、マスクを洗って複数回使用した場合には、不織布の微小粒子や花粉等を捕集する効果が認められなくなるという問題点を有している。
【０００９】
従って、マスク用立体インナーにおいては、マスクの装着に手間が掛からず扱いやすい仕組みにすることと、直に肌へ触れない仕組みにすることとに解決しなければならない課題を有している。
また、従来例におけるマスクにおいては、手洗いが可能であり清潔な状態で何回も使用できることと、洗っても微小粒子や花粉等の捕集効果が認められることとに解決しなければならない課題を有している。
【課題を解決するための手段】
【００１０】
前記従来例の課題を解決するための本考案の要旨は、耳掛け部が両側に設けられ外側の外側布と内側の内側布とを有する布生地製のマスクであって、前記外側布と前記内側布との間には、微小粒子や花粉の侵入を防止するためのフィルターが内蔵されており、前記内側布の内側には、口元及び鼻部の周囲に沿う湾曲した形状の立体フレームが取り付けられていることである。
【００１１】
また、前記立体フレームは、格子状で枠部からなり、該枠部と前記内側布とが縫い付けられた構造であること、；
前記内側布の上部には、鼻部及び顔部にフィットしてメガネの曇りを防止するためのノーズカバーが折畳み及び折返し自在に設けられており、前記ノーズカバーの内部には、微小粒子や花粉の侵入を防止するためのフィルターが内蔵されていること、；
前記フィルターは、微小粒子捕集効率が９５％以上であり、花粉粒子捕集効率が９９％以上であること、；
を含むものである。
【考案の効果】
【００１２】
本考案に係るマスクによれば、次のような様々な優れた効果を奏する。
（ａ）外側布と内側布との間に立体フレームが存在し、即ち、マスクと立体フレームとが一体的に形成されるので、マスクと別体の従来例のものと異なり、装着に手間が掛からず扱いが容易である。
（ｂ）内側布の内側に立体フレームが取り付けられており、肌に直接触れない構造なので、従来例のもののように肌に直に触れる不快感が生じない。
（ｃ）立体フレームの存在により、口元に空間ができて、呼吸がしやすく息苦しさが軽減される。
（ｄ）立体フレームの存在により、口元に空間ができるので、口紅が落ちにくい。
（ｅ）立体フレームの存在により、鼻が高く見えて美しい横顔になる。
（ｆ）マスクの内部に立体フレームが設けられるので、マスクごと一緒に洗濯ができる。
（ｇ）外側布と内側布との間に微小粒子や花粉の侵入を防止するためのフィルターが設けられているので、ＰＭ２．５を含む微小粒子や花粉等を効率的に捕集できる効果を有する。
（ｈ）布生地製で形成されるので、手洗いが可能で清潔な状態で継続して使用できると共に、洗っても微小粒子や花粉等の捕集効果が認められる。
【００１３】
立体フレームは、格子状で枠部からなり、枠部と内側布とが縫い付けられた構造であることによって、息を吸ったとき、内側布が枠部に縫着しているので、口や鼻孔に張り付かず息がしやすいという優れた効果を奏する。
【００１４】
内側布の上部には、鼻部及び顔部にフィットしてメガネの曇りを防止するためのノーズカバーが折畳み及び折返し自在に設けられていることによって、メガネを掛けた状態でレンズが曇りにくい。
また、ノーズカバーの内部には、微小粒子や花粉の侵入を防止するためのフィルターが内蔵されていることによって、ノーズカバーにおいてもＰＭ２．５を含む微小粒子や花粉等を効率的に捕集するという種々の優れた効果を奏する。
【００１５】
フィルターは、微小粒子捕集（ろ過）効率（ＰＦＥ）が９５％以上であり、花粉粒子捕集（ろ過）効率が９９％以上であることによって、ＰＭ２．５を含む微小粒子や花粉等を効率的に捕集するという優れた効果を奏する。
微小粒子捕集効率（ＰＦＥ）が９５％は、約０．１μｍの微小粒子を９５％捕集（ろ過）するということであり、花粉粒子捕集効率が９９％は、約３０μｍの微小粒子を９９％捕集（ろ過）するということである。
従って、微小粒子や花粉の侵入を防止することに有効である。
【図面の簡単な説明】
【００１６】
【図１】本考案に係るマスクを外側から見た斜視図である。
【図２】本考案に係るマスクを内側から見た斜視図である。
【図３】本考案に係るマスクを内側から見て、立体フレームの縫着位置を示す斜視図である。
【図４】（イ）立体フレームを内側から見た正面図である。（ロ）立体フレームの斜視図である。
【図５】本考案に係るマスクの使用状態を示す側面図である。
【考案を実施するための形態】
【００１７】
次に、本考案の実施の形態について図面を参照しながら説明する。まず、図１及び図２において、符号１１はマスクを示し、このマスク１１は、耳掛け部１２が両側に設けられて、外側の外側布１３と内側の内側布１４とを有する布生地製のマスクであって、外側布１３と内側布１４との間に内蔵されるフィルター１５と、内側布１４の内側に取り付けられる立体フレーム１６とを備える。
【００１８】
フィルター１５は、外側布１３及び内側布１４の上側と下側と両側とに沿って縫着される。
【００１９】
また、フィルター１５は、ＰＭ２．５を含む微小粒子や花粉等を捕集できる効果を有するものであり、外側布１３と内側布１４との間に挟持された状態で内蔵される。従って、マスク１１は、外側布１３と、内側布１４と、それらの間に内蔵されたフィルター１５と、内側布１４の内側に取り付けられる立体フレーム１６とを有する。
フィルター１５は、微小粒子捕集（ろ過）効率（ＰＦＥ）が９５％以上であり、花粉粒子捕集（ろ過）効率が９９％以上である。微小粒子捕集効率（ＰＦＥ）が９５％は、約０．１μｍの微小粒子を９５％捕集（ろ過）するということであり、花粉粒子捕集効率が９９％は、約３０μｍの微小粒子を９９％捕集（ろ過）するということである。
従って、微小粒子や花粉の侵入を防止することに有効である。
【００２０】
立体フレーム１６は、ポリエチレン、あるいはプラスチック等の合成樹脂材で形成されており、図４（イ）（ロ）に示すように、格子状で縦横方向に複数本設けられる枠部１８からなると共に、装着者の口元及び鼻部の周囲に沿う湾曲した形状に形成される。
そして、図３に示す内側布１４に示す縫着線１９ａと、図４（イ）に示す立体フレーム１６に示す縫着線１９ｂとが重なり合った状態で縫着される。その結果、内側布１４が枠部１８に対して縫着しているので、息を吸ったときに内側布１４が口や鼻孔に張り付かず息がしやすい。
【００２１】
内側布１４の上部１４ａには、図２、図３及び図５に示すように、鼻部２１及び顔部２２にフィットしてメガネの曇りを防止するためのノーズカバー２０が折畳み及び折返し自在に設けられている。
つまり、マスク１１を使用しないときには、図２に示すように、ノーズカバー２０は折り畳まれた状態であり、また、マスク１１を使用するときには、図５に示すように、ノーズカバー２０を折り返して、鼻部２１及び顔部２２にフィットさせる。
そして、図５に示すように、ノーズカバー２０が鼻部２１及び顔部２２にフィットして隙間が生じないので、隙間から流れ出た息がレンズに付着せず、メガネが曇りにくい。
【００２２】
ノーズカバー２０の内部には、微小粒子や花粉の侵入を防止するためのフィルター１５ａが配設されている。従って、ノーズカバー２０においてもＰＭ２．５を含む微小粒子や花粉等を効率的に捕集することができる。
【００２３】
以上のように構成されるマスク１１は、外側布１３と内側布１４との間に、微小粒子や花粉の侵入を防止するためのフィルター１５が挟持された状態で内蔵されていることによって、ＰＭ２．５を含む微小粒子や花粉等を効率的に捕集できる。
また、布生地製で形成されるので、手洗いが可能で清潔な状態で継続して使用できると共に、洗っても微小粒子や花粉等の捕集効果が認められる。
【００２４】
また、内側布１４の内側には、立体フレーム１６が取り付けられることによって、次のような様々な効果を奏する。
（ａ）外側布１３と内側布１４との間に立体フレーム１６が存在し、即ち、マスク１１と立体フレーム１６とが一体的に形成されるので、マスクと別体の従来例のものとは異なり、装着に手間が掛からず扱いが容易である。
（ｂ）内側布１４の内側に立体フレーム１６が取り付けられており、肌に直接触れない構造なので、従来例のもののように肌に直に触れる不快感じが生じない。
（ｃ）立体フレーム１６の存在により、口元に空間ができて、呼吸がしやすく息苦しさが軽減される。
（ｄ）立体フレーム１６の存在により、口元に空間ができるので、口紅が落ちにくい。
（ｅ）立体フレーム１６の存在により、鼻が高く見えて美しい横顔になる。
（ｆ）マスク１１の内部に立体フレーム１６が設けられるので、マスク１１ごと一緒に洗濯ができる。
【符号の説明】
【００２５】
１１  マスク
１２  耳掛け部
１３  外側布
１４  内側布
１４ａ  上部
１５、１５ａ  フィルター
１６  立体フレーム
１８  枠部
１９ａ、１９ｂ  縫着線
２０  ノーズカバー
２１  鼻部
２２  顔部
【図１】
0003230839.tif 000003
【図２】
0003230839.tif 000004
【図３】
0003230839.tif 000005
【図４】
0003230839.tif 000006
【図５】
0003230839.tif 000007